(57)【要約】【課題】脱臭したい範囲から効率的に脱臭を行う。【解決手段】この空気清浄機では、脱臭運転モードが選択されると（ステップＳ１）、室内に加湿空気を吹き出す加湿運転が開始される（ステップＳ２）。この際、フラップ５３は所定の角度位置で固定される（ステップＳ３）。そして、加湿運転を開始してから湿度が所定の湿度に達した後（ステップＳ４）、又は、加湿運転を開始してから加湿準備時間が経過した後（ステップＳ５）、ニオイ浮き出し時間が経過した場合（ステップＳ７）、除湿運転を開始する（ステップＳ８）。この際、フラップは可動範囲内でスイングされる（ステップＳ９）。【選択図】図６
2010175097.tif 000002
【特許請求の範囲】
【請求項１】
加湿運転及び除湿運転を行うことが可能な空気調和機であって、
吹出口から吹き出される空気の風向を制御する第１風向変更部材と、
前記加湿運転をした後で前記除湿運転を行う脱臭運転モードにおいて、前記第１風向変更部材の動作を制御する制御部とを備えることを特徴とする、空気調和機。
【請求項２】
前記脱臭運転モードにおいて、前記制御部は、前記加湿運転時に前記第１風向変更部材を固定すると共に、前記除湿運転時に前記第１風向変更部材をスイングすることを特徴とする、請求項１に記載の空気調和機。
【請求項３】
前記脱臭運転モードにおいて、前記制御部は、前記加湿運転時及び前記除湿運転時に前記第１風向変更部材を固定することを特徴とする、請求項１に記載の空気調和機。
【請求項４】
前記脱臭運転モードにおいて、前記制御部は、前記加湿運転時に前記第１風向変更部材をスイングすると共に、前記除湿運転時に前記第１風向変更部材を固定することを特徴とする、請求項１に記載の空気調和機。
【請求項５】
前記脱臭運転モードにおいて、前記制御部は、前記加湿運転時及び前記除湿運転時に前記第１風向変更部材をスイングすることを特徴とする、請求項１に記載の空気調和機。
【請求項６】
湿度を検知する湿度検知部をさらに備え、
前記脱臭運転モードにおいて、前記制御部は、前記加湿運転を開始してから前記湿度検知部によって検知される湿度が所定の湿度に達した後、又は、前記加湿運転を開始してから第１の時間が経過した後、第２の時間が経過した場合に、前記除湿運転を開始することを特徴とする、請求項１〜５のいずれか１項に記載の空気調和機。
【請求項７】
前記脱臭運転モードにおいて、前記制御部は、前記除湿運転を開始してから第３の時間が経過した場合に、前記除湿運転を終了することを特徴とする、請求項１〜６のいずれか１項に記載の空気調和機。
【請求項８】
前記吹出口から吹き出される空気の風向を制御する第２風向変更部材をさらに備え、
前記制御部は、前記脱臭運転モードにおいて、前記第１風向変更部材及び前記第２風向変更部材の動作を制御することを特徴とする、請求項１〜７のいずれか１項に記載の空気調和機。
【発明の詳細な説明】
【技術分野】
【０００１】
本発明は、加湿運転及び除湿運転を行うことが可能な空気調和機に関する。
【背景技術】
【０００２】
近年、加湿機能及び除湿機能を併せ持つ空気調和機が種々提案されている（例えば、特許文献１〜５参照）。また、加湿機能及び除湿機能を利用して脱臭を行う空気調和機も提案されている（例えば、特許文献６参照）。この特許文献６に開示される空気調和機は、「除湿運転−加湿運転−除湿運転」からなる一連の運転を行うことにより、被乾燥物の脱臭を行っている。この脱臭運転は、加湿運転によって被乾燥物の繊維の隙間に水分を送り込むことにより、当該水分にニオイ成分を吸着させて、被乾燥物の繊維の隙間まで入り込んだニオイを除去するものである。
【先行技術文献】
【特許文献】
【０００３】
【特許文献１】特開２００５−１０６３５８号公報
【特許文献２】特開２００８−１７５４２４号公報
【特許文献３】特開平４−２８４８１６号公報
【特許文献４】特開２００７−２８５５３９号公報
【特許文献５】特開平６−２３３９１４号公報
【特許文献６】特開２００７−２１２１１５号公報
【発明の概要】
【発明が解決しようとする課題】
【０００４】
しかしながら、空気調和機に対する被乾燥物の位置が適切でなく、空気調和機から吹き出される空気が被乾燥物に到達しないような場合には、加湿運転を行ったとしても被乾燥物に対して十分に水分を供給することができない。そのため、被乾燥物の脱臭を十分に行うことが出来たとは言えなかった。
【０００５】
そこで、この発明は、上記のような課題を解決するためになされたものであり、脱臭したい範囲から効率的に脱臭を行うことが可能な空気調和機を提供することを目的とする。
【課題を解決するための手段】
【０００６】
第１の発明にかかる空気調和機は、加湿運転及び除湿運転を行うことが可能な空気調和機であって、吹出口から吹き出される空気の風向を制御する第１風向変更部材と、加湿運転をした後で除湿運転を行う脱臭運転モードにおいて、第１風向変更部材の動作を制御する制御部とを備えている。
【０００７】
この空気調和機では、ニオイの発生源をピンポイントで脱臭するために第１風向変更部材を当該発生源に向けて固定したり、部屋全体を脱臭するために第１風向変更部材をスイングしたりする制御が可能となる。これにより、脱臭したい範囲を効率的に脱臭することができる。
【０００８】
第２の発明にかかる空気調和機は、第１の発明にかかる空気調和機において、脱臭運転モードにおいて、制御部は、加湿運転時に第１風向変更部材を固定すると共に、除湿運転時に第１風向変更部材をスイングする。
【０００９】
この空気調和機では、ニオイの発生源からのニオイを集中的に浮き出させ、且つ、広範囲で空気を攪拌することによりその浮き出たニオイを効率的に回収することができる。
【００１０】
第３の発明にかかる空気調和機は、第１の発明にかかる空気調和機において、脱臭運転モードにおいて、制御部は、加湿運転時及び除湿運転時に第１風向変更部材を固定する。
【００１１】
この空気調和機では、ニオイの発生源からのニオイを集中的に浮き出させ、且つ、そのニオイが浮き出た部分に除湿空気を衝突させることにより、そのニオイの発生源の脱臭を即座に行うことができる。
【００１２】
第４の発明にかかる空気調和機は、第１の発明にかかる空気調和機において、脱臭運転モードにおいて、制御部は、加湿運転時に第１風向変更部材をスイングすると共に、除湿運転時に第１風向変更部材を固定する。
【００１３】
この空気調和機では、広範囲でニオイを浮き出させることができる。
【００１４】
第５の発明にかかる空気調和機は、第１の発明にかかる空気調和機において、脱臭運転モードにおいて、制御部は、加湿運転時及び除湿運転時に第１風向変更部材をスイングする。
【００１５】
この空気調和機では、広範囲でニオイを浮き出させ、且つ、広範囲で空気を攪拌することにより部屋全体のニオイを効率的に回収することができる。
【００１６】
第６の発明にかかる空気調和機は、第１〜第５のいずれかの発明にかかる空気調和機において、湿度を検知する湿度検知部をさらに備え、脱臭運転モードにおいて、制御部は、加湿運転を開始してから湿度検知部によって検知される湿度が所定の湿度に達した後、又は、加湿運転を開始してから第１の時間が経過した後、第２の時間が経過した場合に、除湿運転を開始する。
【００１７】
この空気調和機では、所定の湿度になった状態で第２の時間が経過するまで除湿運転を待機させることによって、十分にニオイが浮き出た状態で除湿運転によりニオイを回収することができる。また、部屋が広い場合等、加湿運転を十分に行ったとしても所定の湿度に達しない場合でも、第１の時間及び第２の時間が経過したときに、除湿運転を開始することができる。
【００１８】
第７の発明にかかる空気調和機は、第１〜第６のいずれかの発明にかかる空気調和機において、脱臭運転モードにおいて、制御部は、除湿運転を開始してから第３の時間が経過した場合に、除湿運転を終了する。
【００１９】
この空気調和機では、浮き出たニオイを回収するのに必要な時間だけ除湿運転を行うことができる。
【００２０】
第８の発明にかかる空気調和機は、第１〜第７のいずれかの発明にかかる空気調和機において、吹出口から吹き出される空気の風向を制御する第２風向変更部材をさらに備え、制御部は、脱臭運転モードにおいて、第１風向変更部材及び第２風向変更部材の動作を制御する。
【００２１】
この空気調和機では、２つの風向変更部材を設けることによって、吹出口から吹き出される空気の指向方向を細かく制御することができるので、ニオイの発生源にピンポイントに空気を指向させたり、室内の隅々まで空気が行き渡るようにしたりすることができる。
【発明の効果】
【００２２】
以上の説明に述べたように、本発明によれば、以下の効果が得られる。
【００２３】
第１の発明では、ニオイの発生源をピンポイントで脱臭するために第１風向変更部材を当該発生源に向けて固定したり、部屋全体を脱臭するために第１風向変更部材をスイングしたりする制御が可能となる。これにより、脱臭したい範囲を効率的に脱臭することができる。
【００２４】
また、第２の発明では、ニオイの発生源からのニオイを集中的に浮き出させ、且つ、広範囲で空気を攪拌することによりその浮き出たニオイを効率的に回収することができる。
【００２５】
また、第３の発明では、ニオイの発生源からのニオイを集中的に浮き出させ、且つ、そのニオイが浮き出た部分に除湿空気を衝突させることにより、そのニオイの発生源の脱臭を即座に行うことができる。
【００２６】
また、第４の発明では、広範囲でニオイを浮き出させることができる。
【００２７】
また、第５の発明では、広範囲でニオイを浮き出させ、且つ、広範囲で空気を攪拌することにより部屋全体のニオイを効率的に回収することができる。
【００２８】
また、第６の発明では、所定の湿度になった状態で第２の時間が経過するまで除湿運転を待機させることによって、十分にニオイが浮き出た状態で除湿運転によりニオイを回収することができる。また、部屋が広い場合等、加湿運転を十分に行ったとしても所定の湿度に達しない場合でも、第１の時間及び第２の時間が経過したときに、除湿運転を開始することができる。
【００２９】
また、第７の発明では、浮き出たニオイを回収するのに必要な時間だけ除湿運転を行うことができる。
【００３０】
また、第８の発明では、２つの風向変更部材を設けることによって、吹出口から吹き出される空気の指向方向を細かく制御することができるので、ニオイの発生源にピンポイントに空気を指向させたり、室内の隅々まで空気が行き渡るようにしたりすることができる。
【図面の簡単な説明】
【００３１】
【図１】本発明の第１実施形態に係る空気清浄機の斜視図である。
【図２】図１に示した空気清浄機の分解斜視図である。
【図３】図１に示した空気清浄機の除湿ユニットを示した正面図である。
【図４】図１に示した空気清浄機のブロック図である。
【図５】脱臭運転モードにおける空気清浄機から吹き出される空気流の様子を示した斜視図である。
【図６】本発明の第１実施形態に係る空気清浄機の脱臭運転モードにおけるフラップの動作を示したフローチャートである。
【図７】本発明の第２実施形態に係る空気清浄機の脱臭運転モードにおけるフラップの動作を示したフローチャートである。
【図８】本発明の第３実施形態に係る空気清浄機の脱臭運転モードにおけるフラップの動作を示したフローチャートである。
【図９】本発明の第４実施形態に係る空気清浄機の脱臭運転モードにおけるフラップの動作を示したフローチャートである。
【図１０】本発明の第５実施形態に係る空気清浄機のブロック図である。
【図１１】図１０に示した空気清浄機の脱臭運転モードにおけるフラップ及び垂直羽根の動作を示したフローチャートである。
【発明を実施するための形態】
【００３２】
以下、図面に基づいて、本発明に係る空気清浄機（空気調和機）の実施形態について説明する。
【００３３】
（第１実施形態）
空気清浄機１は、室内の空気を吸い込み、その空気を清浄化して、室内の快適性を向上させるものである。具体的には、この空気清浄機１は、室内の空気に含まれる塵埃等を集塵する。また、本実施形態の空気清浄機１は、上記した塵埃等の集塵運転だけでなく、加湿運転及び除湿運転を行うことが可能である。さらに、この空気清浄機１は、加湿運転をした後で除湿運転を行う脱臭運転を行うことも可能である。つまり、本実施形態の空気清浄機１は、「集塵機能」、「加湿機能」、「除湿機能」及び「脱臭機能」を併せ持っている。
【００３４】
空気清浄機１は、図１及び図２に示すように、ファン１０（図４参照）と、空気清浄ユニット２０と、除湿ユニット３０と、加湿ユニット４０とが、ケーシング５０に収容されている。そして、これらのアクチュエータは、空気清浄機１の前面側から背面側に向かって、空気清浄ユニット２０、除湿ユニット３０、加湿ユニット４０、ファン１０の順に配置されている。
【００３５】
＜ケーシング５０＞
図１に示すように、ケーシング５０の下部、右側面部及び左側面部の各々には、室内空気を吸い込むための吸込口５１が設けられている。また、ケーシング５０の天面部には、吹出口５２が設けられており、空気清浄ユニット２０等を通過した空気がこの吹出口５２を介して上方に向かって吹き出される。この吹出口５２には、吹出口５２から吹き出される空気の風向を変更するフラップ５３（第１風向変更部材）が回転可能に軸支されている。また、ケーシング５０の前面には、パネル５４が取り付けられている。
【００３６】
＜空気清浄ユニット２０＞
この空気清浄ユニット２０は、空気中に浮遊するカビ、花粉、ハウスダストなど種々の塵埃を取り除くために設けられている。この空気清浄ユニット２０は、図２に示すように、プレフィルタ２１と、プラズマイオン化部２２と、フィルタユニット２３と、ファンガード２４と、ストリーマ放電ユニット２５とを含んでいる。
【００３７】
プレフィルタ２１は、パネル５４の後方に配置されており、比較的大きなホコリや塵を捕集する。プレフィルタ２１は、ポリプロピレン（以下、ＰＰという）製の糸状の樹脂網からなるネットと、ネットを保持するフレームとから構成されている。プレフィルタ２１のネットを構成する繊維には、光触媒とカテキンとの両方、又はいずれかが空気側に露出するように担持されていても良い。光触媒は、紫外線により光触媒作用が活性化される酸化チタン等を含んでおり、プレフィルタ２１に付着する塵埃などに含まれるカビ菌や細菌などの菌やウィルスを除去する。なお、カテキンは、ポリフェノールの一種であって、エピカテキン、エピガロカテキン、エピカテキンガレート、エピガロカテキンガレートなどの総称である。このカテキンは、プレフィルタ２１に付着する塵埃などに含まれるカビ菌や細菌などの菌の繁殖を抑制したりウィルスを不活化したりする。
【００３８】
プラズマイオン化部２２は、プレフィルタ２１の下流側に設けられる。プラズマイオン化部２２は、プレフィルタ２１を通過した空気中に浮遊している比較的小さな塵埃を帯電させる。
【００３９】
フィルタユニット２３は、プラズマイオン化部２２の下流側に設けられる。このフィルタユニット２３は、プリーツ状に形成されている静電フィルタおよびチタンアパタイト担持フィルタを張り合わせて形成されている。なお、このフィルタユニット２３は、静電フィルタが上流側に、チタンアパタイト担持フィルタが下流側になるように配置される。静電フィルタは、プラズマイオン化部２２を通過する際に帯電させられた塵埃などを吸着する。チタンアパタイト担持フィルタは、静電フィルタを通過した塵埃などを吸着する。このチタンアパタイト担持フィルタは、プレフィルタ２１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット２５から供給される活性種により光触媒機能が活性化され、ウィルスやカビ菌、細菌などを不活化または死滅させる。また、このフィルタユニット２３は、プリーツ状に形成されているため、折り目に合わせて容易に折り畳むことが可能である。
【００４０】
ストリーマ放電ユニット２５は、強力な分解力を持つ高速電子、イオン、オゾン、ヒドロキシラジカルなどのラジカル種などを吹き流し状に放出する。これにより、空気中のアンモニア類や、アルデヒド類、窒素酸化物など小さな有機分子が分解及び／又は消臭されると共に、プレフィルタ２１が除菌される。
【００４１】
＜除湿ユニット３０＞
除湿ユニット３０は、図３に示すように、吸着素子３１と、ヒータ３２と、送風管３３と、送風機３４と、熱交換部３５とを備えている。吸着素子３１は、略円板形状を有するハニカム構造であって、ゼオライト、シリカゲル、あるいはアルミナといった吸着剤を含んでいる。このゼオライト等の吸着剤は、接触する空気中の水分を吸着し、加熱されることによって含有する水分を脱離する性質を有している。ヒータ３２は、吸着素子３１を加熱することによって、その吸着素子３１の吸着剤から水分を離脱させる。送風管３３は、ヒータ３２と熱交換部３５とを連結する第１送風管３３ａ、及び、熱交換部３５と送風機３４とを連結する第２送風管３３ｂを有している。
【００４２】
＜加湿ユニット４０＞
加湿ユニット４０は、図２に示すように、貯水容器４１と、加湿ロータ４２と、水車４３とを備えている。貯水容器４１は、加湿ロータ４２に供給される水分の水源であって、ケーシング５０に着脱可能に収納されている。貯水容器４１の水が不足して水を補充する場合や、貯水容器４１の水が満杯になり水を捨てる場合に、貯水容器４１はユーザによってケーシング５０から引き出される。加湿ロータ４２は、不織布であって円板状に形成され、回転することによって貯水容器４１から供給される水を蒸発させる。水車４３は、貯水容器４１に回転可能に軸支されており、貯水容器４１内の水を汲み上げて加湿ロータ４２に供給する。
【００４３】
空気清浄機１には、図４に示すように、マイコンやメモリ等により構成される制御部６０が設けられている。この制御部６０は、電源ボタン６１ａなどを有する操作部６１（図１参照）、室内の湿度を検知するための湿度センサ６２、ファン１０を駆動するためのファンモータ６３、及び、フラップ５３を駆動するためのステッピングモータ６４等と有線又は無線により通信可能に接続されている。例えば、ユーザー等により電源ボタン６１ａを操作することによって入力された空気清浄機１の運転指令は、制御部６０へと送られ、制御部６０は、当該運転指令に基づいて各構成に対して制御信号を出力することにより空気清浄機１の運転を制御する。具体的には、制御部６０は、運転指令に基づいてファンモータ６３に対して制御信号を出力することによりファン１０を回転させたり、ステッピングモータ６４に対して制御信号を出力することによりフラップ５３を回動させたりする。
【００４４】
ここで、本実施形態では、制御部６０は、加湿運転及び除湿運転を行う脱臭運転モードにおいて、加湿運転を開始してから湿度センサ６２によって検知される湿度が所定の湿度（約６０％）に達した後、又は、加湿運転を開始してから加湿準備時間（第１の時間：約１時間）が経過した後、ニオイ浮き出し時間（第２の時間：約２時間）が経過した場合に、除湿運転を開始する。そして、制御部６０は、除湿運転を開始してからニオイ回収時間（第３の時間：２時間）が経過した場合に、当該除湿運転を終了する。この際、本実施形態では、制御部６０は、脱臭運転モードの加湿運転時にフラップ５３を固定し、その後の脱臭運転モードの除湿運転時にフラップ５３をスイングする。
【００４５】
次に、空気清浄機１の各運転モード（集塵運転モード、加湿運転モード、除湿運転モード、脱臭運転モード）について説明する。
【００４６】
［集塵運転モード］
集塵運転モードは、室内の空気に含まれる塵埃（ハウスダスト、花粉、ペットの毛、ダニの糞や死骸、カビ胞子等）を集塵する運転モードである。この集塵運転モードでは、ファン１０が駆動することによって３つの吸込口５１から室内空気が吸い込まれ、当該空気は空気清浄ユニット２０を通過して吹出口５２から吹き出される。具体的には、吸込口５１から吸い込まれた空気中の比較的大きなホコリや塵は、プレフィルタ２１を通過するときに捕集される。そして、プレフィルタ２１を通過した空気中の塵埃や花粉は、プラズマイオン化部２２を通過する際に、帯電する。そして、プラズマイオン化部２２を通過することで帯電した塵埃や花粉は、フィルタユニット２３の静電フィルタを通過する際に吸着される。また、塵埃などに含まれるウィルスやカビ菌、細菌などは、フィルタユニット２３のチタンアパタイト担持フィルタによって吸着される。そして、フィルタユニット２３で吸着されなかった空気中のウィルスや菌などは、プラズマ触媒フィルタ２４で吸着される。
【００４７】
［除湿運転モード］
除湿運転モードは、室内空気を除湿する運転モードである。この除湿運転モードでは、図３に示すように、送風機３４が駆動することによって、第１送風管３３ａから熱交換部３５を介して第２送風管３３ｂに至る空気流が形成される。第１送風管３３ａを流通する空気は、ヒータ３２により加熱されることによって高温空気となって、吸着素子３１を通過する。この際、吸着素子３１の高温空気が通過した部分は、当該高温空気に加熱され水分を放出する。これにより、第１送風管３３ａを流通する空気は、吸着素子３１を通過することによって高温高湿空気となって、熱交換部３５に導入される。そして、熱交換部３５の内部を通過する高温高湿空気は、熱交換部３５の外部を通過する空気流と熱交換して冷却される。このとき、熱交換部３５の内部を通過する空気に含有する水分が結露し、その結露水は、貯水容器４１に入る。そして、熱交換部３５を通過した空気は、第２送風管３３ｂを介して送風機３４に吸い込まれる。
【００４８】
［加湿運転モード］
加湿運転モードは、室内空気を加湿する運転モードである。この加湿運転モードでは、水車４３が駆動することによって、貯水容器４１の水が汲み上げられて加湿ロータ４２に供給される。そして、加湿ロータ４２を通過する空気が加湿されて吹出口５２から吹き出される。
【００４９】
［脱臭運転モード］
脱臭運転モードは、空間のニオイ（タバコの煙、雑菌、ウィルス、自動車等の排ガス、ペットの臭い、カビ臭等）を脱臭する運転モードである。この脱臭運転モードでは、加湿運転を行った後、除湿運転を行うことによって、脱臭対象物に対して水分を供給し、その脱臭対象物に染み付いたニオイ成分を当該水分に浮き出させて、ニオイ成分が吸着した水分を回収する。本実施形態では、図５に示すように、加湿運転時にフラップ５３を固定することによって加湿空気を脱臭対象物に向けて集中的に吹き出し、その後の除湿運転時にフラップ５３をスイングすることによって除湿空気を室内全体に広範囲に吹き出す。
【００５０】
次に、図６を参照して、本発明の第１実施形態に係る空気清浄機１の脱臭運転モードにおけるフラップ５３の動作について説明する。
【００５１】
まず、ユーザの操作により脱臭運転モードが選択されると（ステップＳ１）、室内に加湿空気を吹き出す加湿準備運転が開始される（ステップＳ２）。この際、本実施形態では、フラップ５３は所定の角度位置で固定される（ステップＳ３）。このフラップ５３を固定する角度位置は、吹出口５２から吹き出される加湿空気が脱臭したい箇所に指向するように固定される。例えば、このフラップ５３を固定する角度位置は、ユーザの操作によって設定してもよいし、脱臭対象となるカーテンや洗濯物等を識別するセンサにより自動で設定してもよい。
【００５２】
次に、湿度センサ６２によって湿度が所定の湿度（約６０％）以上になったか否かが判断され（ステップＳ４）、当該湿度が約６０％以上の場合には（ステップＳ４：Ｙｅｓ）、加湿運転を開始する（ステップＳ６）。これに対して、当該湿度が約６０％以上に達しない場合には（ステップＳ４：Ｎｏ）、上記した加湿準備運転を開始してから加湿準備時間（第１の時間：約１時間）が経過したか否かを判断し（ステップＳ５）、当該加湿準備時間が経過している場合には（ステップＳ５：Ｙｅｓ）、室内に加湿空気を吹き出す加湿運転を開始する（ステップＳ６）。一方、加湿準備時間が経過していない場合には（ステップＳ５：Ｎｏ）、湿度が６０％以上になるか（ステップＳ４：Ｙｅｓ）、加湿準備運転を開始してから加湿準備時間が経過する（ステップＳ５：Ｙｅｓ）まで、加湿準備運転を継続し、その後加湿運転を開始する（ステップＳ６）。
【００５３】
加湿運転開始後、その加湿運転を開始してからニオイ浮き出し時間（約２時間）が経過してから（ステップＳ７）、室内に除湿空気を吹き出す除湿運転を開始する（ステップＳ８）。この際、本実施形態では、フラップ５３は可動範囲内でスイングされる（ステップＳ９）。この除湿運転は、その除湿運転を開始してからニオイ回収時間（約２時間）が経過してから終了する（ステップＳ１０）。
【００５４】
［本実施形態の空気清浄機の特徴］
本実施形態の空気清浄機１には、以下のような特徴がある。
【００５５】
本実施形態の空気清浄機１では、脱臭運転モードにおいて、加湿運転時にフラップ５３を固定すると共に、除湿運転時にフラップ５３をスイングすることによって、ニオイの発生源からのニオイを集中的に浮き出させ、且つ、広範囲で空気を攪拌することによりその浮き出たニオイを効率的に回収することができる。
【００５６】
また、本実施形態の空気清浄機１では、脱臭運転モードにおいて、所定の湿度（約６０％）になった状態でニオイ浮き出し時間が経過するまで除湿運転を待機させることによって、十分にニオイが浮き出た状態で除湿運転によりニオイを回収することができる。
【００５７】
また、本実施形態の空気清浄機１では、所定の湿度（約６０％）に至らなくても加湿準備時間が経過したときに除湿運転を開始することによって、部屋が広い場合等、加湿運転を十分に行ったとしても所定の湿度に達しない場合でも、加湿準備時間及びニオイ浮き出し時間が経過したときに、除湿運転を開始することができる。
【００５８】
また、本実施形態の空気清浄機１では、除湿運転を開始してからニオイ回収時間が経過した場合に、除湿運転を終了することによって、浮き出たニオイを回収するのに必要な時間だけ除湿運転を行うことができる。
【００５９】
（第２実施形態）
第２実施形態の空気清浄機は、上記した第１実施形態の空気清浄機とは脱臭運転モードにおけるフラップ５３の制御方法が異なっており、加湿運転及び除湿運転を行う脱臭運転モードにおいて、その加湿運転時及び除湿運転時にフラップ５３を固定している。なお、第２実施形態の空気清浄機の構成は、第１実施形態の空気清浄機と同様であるので、同一番号を付して、その説明を省略する。
【００６０】
図７を参照して、本発明の第２実施形態に係る空気清浄機の脱臭運転モードにおけるフラップ５３の動作について説明する。
【００６１】
まず、ユーザの操作により脱臭運転モードが選択されると（ステップＳ１１）、室内に加湿空気を吹き出す加湿準備運転が開始される（ステップＳ１２）。この際、本実施形態では、フラップ５３は所定の角度位置で固定される（ステップＳ１３）。このフラップ５３を固定する角度位置は、吹出口５２から吹き出される加湿空気が脱臭したい箇所に指向するように固定される。例えば、このフラップ５３を固定する角度位置は、ユーザの操作によって設定してもよいし、脱臭対象となるカーテンや洗濯物等を識別するセンサにより自動で設定してもよい。
【００６２】
次に、湿度センサ６２によって湿度が所定の湿度（約６０％）以上になったか否かが判断され（ステップＳ１４）、当該湿度が約６０％以上の場合には（ステップＳ１４：Ｙｅｓ）、加湿運転を開始する（ステップＳ１６）。これに対して、当該湿度が約６０％以上に達しない場合には（ステップＳ１４：Ｎｏ）、上記した加湿準備運転を開始してから加湿準備時間（第１の時間：約１時間）が経過したか否かを判断し（ステップＳ１５）、当該加湿準備時間が経過している場合には（ステップＳ１５：Ｙｅｓ）、室内に加湿空気を吹き出す加湿運転を開始する（ステップＳ１６）。一方、加湿準備時間が経過していない場合には（ステップＳ１５：Ｎｏ）、湿度が６０％以上になるか（ステップＳ１４：Ｙｅｓ）、加湿準備運転を開始してから加湿準備時間が経過する（ステップＳ１５：Ｙｅｓ）まで、加湿準備運転を継続し、その後加湿運転を開始する（ステップＳ１６）。
【００６３】
加湿運転開始後、その加湿運転を開始してからニオイ浮き出し時間（約２時間）が経過してから（ステップＳ１７）、室内に除湿空気を吹き出す除湿運転を開始する（ステップＳ１８）。この際、本実施形態では、フラップ５３は、吹出口５２から吹き出される除湿空気が上記した脱臭したい箇所に指向するように固定される（ステップＳ１９）。この除湿運転は、その除湿運転を開始してからニオイ回収時間（約２時間）が経過してから終了する（ステップＳ２０）。
【００６４】
［本実施形態の空気清浄機の特徴］
本実施形態の空気清浄機には、以下のような特徴がある。
【００６５】
本実施形態の空気清浄機では、脱臭運転モードにおいて、加湿運転時及び除湿運転時にフラップ５３を固定することによって、ニオイの発生源からのニオイを集中的に浮き出させ、且つ、そのニオイが浮き出た部分に除湿空気を衝突させることにより、そのニオイの発生源の脱臭を即座に行うことができる。
【００６６】
（第３実施形態）
第３実施形態の空気清浄機は、上記した第１及び第２実施形態の空気清浄機とは脱臭運転モードにおけるフラップ５３の制御方法が異なっており、加湿運転及び除湿運転を行う脱臭運転モードにおいて、その加湿運転時にフラップ５３をスイングし、その後の除湿運転時にフラップ５３を固定している。なお、第３実施形態の空気清浄機の構成は、第１実施形態の空気清浄機と同様であるので、同一番号を付して、その説明を省略する。
【００６７】
図８を参照して、本発明の第３実施形態に係る空気清浄機の脱臭運転モードにおけるフラップ５３の動作について説明する。
【００６８】
まず、ユーザの操作により脱臭運転モードが選択されると（ステップＳ２１）、室内に加湿空気を吹き出す加湿準備運転が開始される（ステップＳ２２）。この際、本実施形態では、フラップ５３は可動範囲内でスイングされる（ステップＳ２３）。具体的には、このフラップ５３は、可動範囲内の全範囲でスイングさせても良いし、所定の角度範囲内だけでスイングさせても良い。
【００６９】
次に、湿度センサ６２によって湿度が所定の湿度（約６０％）以上になったか否かが判断され（ステップＳ２４）、当該湿度が約６０％以上の場合には（ステップＳ２４：Ｙｅｓ）、加湿運転を開始する（ステップＳ２６）。これに対して、当該湿度が約６０％以上に達しない場合には（ステップＳ２４：Ｎｏ）、上記した加湿準備運転を開始してから加湿準備時間（第１の時間：約１時間）が経過したか否かを判断し（ステップＳ２５）、当該加湿準備時間が経過している場合には（ステップＳ２５：Ｙｅｓ）、室内に加湿空気を吹き出す加湿運転を開始する（ステップＳ２６）。一方、加湿準備時間が経過していない場合には（ステップＳ２５：Ｎｏ）、湿度が６０％以上になるか（ステップＳ２４：Ｙｅｓ）、加湿準備運転を開始してから加湿準備時間が経過する（ステップＳ２５：Ｙｅｓ）まで、加湿準備運転を継続し、その後加湿運転を開始する（ステップＳ２６）。
【００７０】
加湿運転開始後、その加湿運転を開始してからニオイ浮き出し時間（約２時間）が経過してから（ステップＳ２７）、室内に除湿空気を吹き出す除湿運転を開始する（ステップＳ２８）。この際、本実施形態では、フラップ５３は、吹出口５２から吹き出される除湿空気が上記した脱臭したい箇所に指向するように固定される（ステップＳ２９）。この除湿運転は、その除湿運転を開始してからニオイ回収時間（約２時間）が経過してから終了する（ステップＳ３０）。
【００７１】
［本実施形態の空気清浄機の特徴］
本実施形態の空気清浄機には、以下のような特徴がある。
【００７２】
本実施形態の空気清浄機では、脱臭運転モードにおいて、加湿運転時にフラップ５３をスイングすることによって、広範囲でニオイを浮き出させることができる。
【００７３】
（第４実施形態）
第４実施形態の空気清浄機は、上記した第１〜第３実施形態の空気清浄機とは脱臭運転モードにおけるフラップ５３の制御方法が異なっており、加湿運転及び除湿運転を行う脱臭運転モードにおいて、その加湿運転時及び除湿運転時にフラップ５３をスイングする。なお、第４実施形態の空気清浄機の構成は、第１実施形態の空気清浄機と同様であるので、同一番号を付して、その説明を省略する。
【００７４】
図９を参照して、本発明の第４実施形態に係る空気清浄機の脱臭運転モードにおけるフラップ５３の動作について説明する。
【００７５】
まず、ユーザの操作により脱臭運転モードが選択されると（ステップＳ３１）、室内に加湿空気を吹き出す加湿準備運転が開始される（ステップＳ３２）。この際、本実施形態では、フラップ５３は可動範囲内でスイングされる（ステップＳ３３）。具体的には、このフラップ５３は、可動範囲内の全範囲でスイングさせても良いし、所定の角度範囲内だけでスイングさせても良い。
【００７６】
次に、湿度センサ６２によって湿度が所定の湿度（約６０％）以上になったか否かが判断され（ステップＳ３４）、当該湿度が約６０％以上の場合には（ステップＳ３４：Ｙｅｓ）、加湿運転を開始する（ステップＳ３６）。これに対して、当該湿度が約６０％以上に達しない場合には（ステップＳ３４：Ｎｏ）、上記した加湿準備運転を開始してから加湿準備時間（第１の時間：約１時間）が経過したか否かを判断し（ステップＳ３５）、当該加湿準備時間が経過している場合には（ステップＳ３５：Ｙｅｓ）、室内に加湿空気を吹き出す加湿運転を開始する（ステップＳ３６）。一方、加湿準備時間が経過していない場合には（ステップＳ３５：Ｎｏ）、湿度が６０％以上になるか（ステップＳ３４：Ｙｅｓ）、加湿準備運転を開始してから加湿準備時間が経過する（ステップＳ３５：Ｙｅｓ）まで、加湿準備運転を継続し、その後加湿運転を開始する（ステップＳ３６）。
【００７７】
加湿運転開始後、その加湿運転を開始してからニオイ浮き出し時間（約２時間）が経過してから（ステップＳ３７）、室内に除湿空気を吹き出す除湿運転を開始する（ステップＳ３８）。この際、本実施形態では、フラップ５３は可動範囲内でスイングされる（ステップＳ３９）。上記した加湿運転時のフラップ５３のスイングと同様に、この除湿運転時のフラップ５３も、可動範囲内の全範囲でスイングさせても良いし、所定の角度範囲内だけでスイングさせても良い。この除湿運転は、その除湿運転を開始してからニオイ回収時間（約２時間）が経過してから終了する（ステップＳ４０）。
【００７８】
［本実施形態の空気清浄機の特徴］
本実施形態の空気清浄機には、以下のような特徴がある。
【００７９】
本実施形態の空気清浄機では、加湿運転時及び除湿運転時にフラップ５３をスイングすることによって、広範囲でニオイを浮き出させ、且つ、広範囲で空気を攪拌することにより部屋全体のニオイを効率的に回収することができる。
【００８０】
（第５実施形態）
上記第１〜第４実施形態の空気清浄機では、吹出口５２から上方に向かって吹き出される空気の風向を前方又は後方に変更するフラップ５３の制御について説明したが、この第５実施形態の空気清浄機は、当該フラップ１５３ａ（第１風向変更部材）に加えて、吹出口５２から上方に向かって吹き出される空気の風向を左右方向（空気清浄機の幅方向）に変更する垂直羽根１５３ｂ（第２風向変更部材）を制御する。なお、第５実施形態の空気清浄機の構成は、垂直羽根１５３ｂを設けたこと以外は、第１実施形態の空気清浄機と同様であるので、同一番号を付して、その説明を省略する。
【００８１】
本実施形態の空気清浄機は、ファン１０から吹出口５２に至る流路上に配置されるフラップ１５３ａ及び垂直羽根１５３ｂを有している。このフラップ１５３ａは、図１０に示すように、制御部１６０に接続されるステッピングモータ１６４ａによってその回動角度が制御される。また、垂直羽根１５３ｂも、制御部１６０に接続されるステッピングモータ１６４ｂによってその回動角度が制御される。
【００８２】
ここで、本実施形態では、制御部１６０は、加湿運転及び除湿運転を行う脱臭運転モードにおいて、加湿運転を開始してから湿度センサ６２によって検知される湿度が所定の湿度（約６０％）に達した後、又は、加湿運転を開始してから加湿準備時間（第１の時間：約１時間）が経過した後、ニオイ浮き出し時間（第２の時間：約２時間）が経過した場合に、除湿運転を開始する。そして、制御部１６０は、除湿運転を開始してからニオイ回収時間（第３の時間：２時間）が経過した場合に、当該除湿運転を終了する。この際、本実施形態では、制御部１６０は、脱臭運転モードの加湿運転時にフラップ１５３ａ及び垂直羽根１５３ｂを固定し、その後の脱臭運転モードの除湿運転時にフラップ１５３ａ及び垂直羽根１５３ｂをスイングする。
【００８３】
図１１を参照して、本発明の第５実施形態に係る空気清浄機の脱臭運転モードにおけるフラップ１５３ａ及び垂直羽根１５３ｂの動作について説明する。
【００８４】
まず、ユーザの操作により脱臭運転モードが選択されると（ステップＳ４１）、室内に加湿空気を吹き出す加湿準備運転が開始される（ステップＳ４２）。この際、本実施形態では、フラップ１５３ａ及び垂直羽根１５３ｂは所定の角度位置で固定される（ステップＳ４３）。このフラップ１５３ａ及び垂直羽根１５３ｂを固定する角度位置は、吹出口５２から吹き出される加湿空気が脱臭したい箇所に指向するように固定される。例えば、このフラップ１５３ａ及び垂直羽根１５３ｂを固定する角度位置は、ユーザの操作によって設定してもよいし、脱臭対象となるカーテンや洗濯物等を識別するセンサにより自動で設定してもよい。
【００８５】
次に、湿度センサ６２によって湿度が所定の湿度（約６０％）以上になったか否かが判断され（ステップＳ４４）、当該湿度が約６０％以上の場合には（ステップＳ４４：Ｙｅｓ）、加湿運転を開始する（ステップＳ４６）。これに対して、当該湿度が約６０％以上に達しない場合には（ステップＳ４４：Ｎｏ）、上記した加湿準備運転を開始してから加湿準備時間（第１の時間：約１時間）が経過したか否かを判断し（ステップＳ４５）、当該加湿準備時間が経過している場合には（ステップＳ４５：Ｙｅｓ）、室内に加湿空気を吹き出す加湿運転を開始する（ステップＳ４６）。一方、加湿準備時間が経過していない場合には（ステップＳ４５：Ｎｏ）、湿度が６０％以上になるか（ステップＳ４４：Ｙｅｓ）、加湿準備運転を開始してから加湿準備時間が経過する（ステップＳ４５：Ｙｅｓ）まで、加湿準備運転を継続し、その後加湿運転を開始する（ステップＳ４６）。
【００８６】
加湿運転開始後、その加湿運転を開始してからニオイ浮き出し時間（約２時間）が経過してから（ステップＳ４７）、室内に除湿空気を吹き出す除湿運転を開始する（ステップＳ４８）。この際、本実施形態では、フラップ１５３ａ及び垂直羽根１５３ｂは可動範囲内でスイングされる（ステップＳ４９）。この除湿運転は、その除湿運転を開始してからニオイ回収時間（約２時間）が経過してから終了する（ステップＳ５０）。
【００８７】
以上、本発明の実施形態について図面に基づいて説明したが、具体的な構成は、これらの実施形態に限定されるものでないと考えられるべきである。本発明の範囲は、上記した実施形態の説明だけではなく特許請求の範囲によって示され、さらに特許請求の範囲と均等の意味および範囲内でのすべての変更が含まれる。
【００８８】
例えば、上記第１〜第４実施形態では、各空気清浄機が脱臭運転モードにおいて異なるフラップの制御を行ったが、１つの空気清浄機を、第１〜第４実施形態の各フラップの制御ができるように構成してもよい。つまり、脱臭運転モードに突入する際に、「加湿運転時：フラップを固定，除湿運転時：フラップをスイング」、「加湿運転時：フラップを固定，除湿運転時：フラップを固定」、「加湿運転時：フラップをスイング，除湿運転時：フラップを固定」及び「加湿運転時：フラップをスイング，除湿運転時：フラップをスイング」のいずれかを、操作部の操作によりユーザが選択できるようにしても良いし、制御部が室内環境を考慮して自動的に選択できるようにしても良い。
【００８９】
また、上記第５実施形態の空気清浄機では、脱臭運転モードの加湿運転時にフラップ１５３ａ及び垂直羽根１５３ｂを固定し、且つ、脱臭運転モードの除湿運転時にフラップ１５３ａ及び垂直羽根１５３ｂをスイングする例について説明したが、本発明はこれに限らず、脱臭運転モードにおいて、以下（１）〜（１５）のようにフラップ１５３ａ及び垂直羽根１５３ｂを制御しても良い。
（１）「加湿運転時：フラップ及び垂直羽根を固定、除湿運転時：フラップ及び垂直羽根を固定」
（２）「加湿運転時：フラップをスイング且つ垂直羽根を固定、除湿運転時：フラップ及び垂直羽根を固定」
（３）「加湿運転時：フラップを固定且つ垂直羽根をスイング、除湿運転時：フラップ及び垂直羽根を固定」
（４）「加湿運転時：フラップ及び垂直羽根を固定、除湿運転時：フラップをスイング且つ垂直羽根を固定」
（５）「加湿運転時：フラップ及び垂直羽根を固定、除湿運転時：フラップを固定且つ垂直羽根をスイング」
（６）「加湿運転時：フラップ及び垂直羽根をスイング、除湿運転時：フラップ及び垂直羽根を固定」
（７）「加湿運転時：フラップを固定且つ垂直羽根をスイング、除湿運転時：フラップをスイング且つ垂直羽根を固定」
（８）「加湿運転時：フラップをスイング且つ垂直羽根を固定、除湿運転時：フラップを固定且つ垂直羽根をスイング」
（９）「加湿運転時：フラップを固定且つ垂直羽根をスイング、除湿運転時：フラップを固定且つ垂直羽根をスイング」
（１０）「加湿運転時：フラップをスイング且つ垂直羽根を固定、除湿運転時：フラップをスイング且つ垂直羽根を固定」
（１１）「加湿運転時：フラップを固定且つ垂直羽根をスイング、除湿運転時：フラップを固定且つ垂直羽根をスイング」
（１２）「加湿運転時：フラップをスイング且つ垂直羽根を固定、除湿運転時：フラップ及び垂直羽根をスイング」
（１３）「加湿運転時：フラップ及び垂直羽根をスイング、除湿運転時：フラップを固定且つ垂直羽根をスイング」
（１４）「加湿運転時：フラップ及び垂直羽根をスイング、除湿運転時：フラップをスイング且つ垂直羽根を固定」
（１５）「加湿運転時：フラップ及び垂直羽根をスイング、除湿運転時：フラップ及び垂直羽根をスイング」
【産業上の利用可能性】
【００９０】
本発明を利用すれば、脱臭したい範囲から効率的に脱臭を行うことが可能な空気調和機（空気清浄機）を得ることができる。
【符号の説明】
【００９１】
１  空気清浄機
１０  ファン
２０  空気清浄ユニット
３０  除湿ユニット
４０  加湿ユニット
５０  ケーシング
５３，１５３ａ  フラップ（第１風向変更部材）
６０，１６０  制御部
６２  湿度センサ（湿度検知部）
１５３ｂ  垂直羽根（第２風向変更部材）
【図１】
2010175097.tif 000003
【図２】
2010175097.tif 000004
【図３】
2010175097.tif 000005
【図４】
2010175097.tif 000006
【図５】
2010175097.tif 000007
【図６】
2010175097.tif 000008
【図７】
2010175097.tif 000009
【図８】
2010175097.tif 000010
【図９】
2010175097.tif 000011
【図１０】
2010175097.tif 000012
【図１１】
2010175097.tif 000013